(57)【要約】【課題】板紙等を用いて製作され、平板な状態で輸送あるいは販売に供されるとともに、簡便に組み立てられ、計量操作性に優れしかも使用後の廃棄が容易な紙製計量スプーンを提供する。【解決手段】一枚の紙製ブランクを組み立ててなる紙製計量スプーンであって、矩形の底板と、該底板の対向する二辺のそれぞれに連設した側板、前記底板の他の一辺に連設した先端側を把持部となす後板と、前記側板の後板側のそれぞれに連設した後板支持片と、前記後板の把持部両側端に連設され組み立て時にその下端部が後板支持片の上端部と係合する把持部支持片とを有し、前記矩形の底板と、該底板の対向する二辺から立ち起こされたそれぞれの側板と、他の一辺から立ち起こされた後板で計量部分を形成し、前記側板に連設された後板支持片と、前記把持部側端に連設された把持部支持片とをそれぞれ外折りして係合することで把持部分を形成する。【選択図】　　　　図２
2004077152.tif 000002
【特許請求の範囲】
【請求項１】
一枚の紙製ブランクを組み立ててなる紙製計量スプーンであって、矩形の底板と、該底板の対向する二辺のそれぞれに連設した側板、前記底板の他の一辺に連設した先端側を把持部となす後板と、前記側板の後板側のそれぞれに連設した後板支持片と、前記後板の把持部両側端に連設され組み立て時にその下端部が後板支持片の上端部と係合する把持部支持片とを有することを特徴とする紙製計量スプーン。
【請求項２】
前記把持部支持片の側端辺に係止切欠を設けるとともに、他方の把持部支持片の側端辺には前記係止切欠に係止する係止突起を設けたことを特徴とする請求項１記載の紙製計量スプーン。
【請求項３】
前記後板の把持部の上端近傍に差込用溝を穿設するとともに、前記一方の把持部支持片の上端延長上には前記差込用溝に差し込まれる差込片を連設したことを特徴とする請求項１記載の紙製計量スプーン。
【請求項４】
前記それぞれの側板を形成する、底板側折線と後板支持片側折線とのなす角度が鈍角であることを特徴とする請求項１乃至３記載の紙製計量スプーン。
【発明の詳細な説明】
【０００１】
【発明の属する技術分野】
本発明は、容器入り粉末あるいは顆粒状製品の計量スプーンであって、板紙等シート状物を打ち抜き、折り曲げ、組み立ててなる紙製計量スプーンに関する。
【０００２】
【従来の技術】
従来から家庭用合成洗剤等は市販されるに際し、その適量使用のため計量スプーンを附属させることが一般的に行なわれ、通常包装容器内にプラスチック製のスプーンが投入されていた。しかしながら最近では、日常的に使い捨てられる前記プラスチック製計量スプーンは廃棄面からも問題とされている。
【０００３】
前記のような問題に関しては、廃棄処理が容易な点で、これまでも各種の紙製計量スプーンが提案されている。例えば特開平１０−１９６３６号や特開２０００−１６２０１６号公報記載の発明に示されるごとく、板紙を折り曲げて把持部と計量部とを形成した組立式計量スプーンで、いずれも把持片を中央部で折り曲げ固定し、かつ両把持片の前縁部に連設した計量板および一対の側板で形成される計量部分を有するものである。しかしながら、これらは計量部分と把持部分とがほぼ同一の平面状で形成されるため、通常の外装カートン内で計量操作を行う際には手指に洗剤が付着しやすく、また残量が少なくなった場合には外装カートン深くに手指を入れる必要があり、かつ洗剤をすくい取る操作が難しいという問題があった。
【０００４】
また実用新案登録第２５３３９９２号公報記載の考案は、方形の底板と一対の側板と前板、後板とからなる計量部と、後板に連接した取手部と両側に連設された取手部補強板からなる紙製スプーンが示されている。それぞれの構成板が接着されて形成されるスプーン形状は、従来のプラスチック製スプーンと近似した形状となるが、前述のごとく接着を要する構造のため、予め専用の接着装置を用いて接着するか、同じく予め人手により接着作業を行なうものである。このため、特別な組み立て装置を必要とするか、人的作業を必要とするものであるとともに、予め立体に形成することを特徴とするもので、一般消費者が平板なブランク状態から簡便に組み立てられるものでは無いという欠点があった。
【０００５】
【発明が解決しようとする課題】
そこで、本発明は、上記問題を解決するためになしたものであって、その目的とするところは、粉末あるいは顆粒状製品に附属される計量スプーンにおいて、板紙等を用いて製作され、平板な状態で輸送あるいは販売に供されるとともに、簡便に組み立てられ、計量操作性に優れしかも使用後の廃棄が容易な紙製計量スプーンを提供する。
【０００６】
【課題を解決するための手段】
上記課題を解決するため、請求項１の発明は、一枚の紙製ブランクを組み立ててなる紙製計量スプーンであって、矩形の底板と、該底板の対向する二辺のそれぞれに連設した側板、前記底板の他の一辺に連設した先端側を把持部となす後板と、前記側板の後板側のそれぞれに連設した後板支持片と、前記後板の把持部両側端に連設され組み立て時にその下端部が後板支持片の上端部と係合する把持部支持片とを有し、前記矩形の底板と、該底板の対向する二辺から立ち起こされたそれぞれの側板と、他の一辺から立ち起こされた後板で計量部分を形成し、前記側板に連設された後板支持片と、前記把持部側端に連設された把持部支持片とをそれぞれ外折りして係合することで把持部分を形成し、紙製計量スプーンとして使用するものである。
【０００７】
請求項２の発明は、前記把持部支持片の側端辺に係止切欠を設けるとともに、他方の把持部支持片の側端辺には前記係止切欠に係止する係止突起を設けたことを特徴とする請求項１記載の紙製計量スプーンであって、前記側板に連設された後板支持片と、前記把持部に連設された把持部支持片とをそれぞれ外折りして略三角柱あるいは略三角錐台状構造とするとともに、前記係止切欠に前記係止突起を係止固定して把持部分を形成するものである。
【０００８】
請求項３の発明は、前記後板の把持部の上端近傍に差込用溝を穿設するとともに、前記一方の把持部支持片の上端延長上には前記差込用溝に差し込まれる差込片を連設したことを特徴とする請求項１記載の紙製計量スプーンであって、前記側板に連設された後板支持片と、前記後板の把持部に連設された把持部支持片とをそれぞれ外折りして重合するとともに、最も外側に重合される把持部支持片の上端延長上に設けた差込片を、前記後板の把持部の上端近傍に穿設した差込用溝に差し込んで把持部分を形成するものである。
【０００９】
請求項４の発明は、前記それぞれの側板を形成する、底板側折線と後板支持片側折線とのなす角度が鈍角であることを特徴とする請求項１乃至３記載の紙製計量スプーンであって、計量部底板と先端側を把持部となす後板とで形成される角度が鈍角となることにより、優れた計量操作性を付与したものである。
【発明の実施の形態】
上記の本発明について、図面等を用いて以下に詳述する。
図１は本発明にかかる紙製計量スプーンの第１の実施形態の展開平面図である。図２は同じく実施形態の組み立て完了状態を示す斜視図である。図３は同じく実施形態の組み立て完了状態を底面から見た斜視図である。図４は本発明にかかる紙製計量スプーンの第２の実施形態の展開平面図である。図５は同じく第２の実施形態の組み立て完了状態を示す斜視図である。図６は同じく第２の実施形態の組み立て完了状態を底面から見た斜視図である。
【００１０】
図１は本発明にかかる紙製計量スプーンの実施形態の展開平面図であって、矩形の底板１の対向する二辺には折線Ｌ１、Ｌ２を介してそれぞれ側板２および２´が連設され、該側板２および２´にはそれぞれ折線Ｌ４、Ｌ５を介して後板支持片５および５´が連設されている。前記底板１の他の一辺には折線Ｌ３を介して、先端側を把持部４とする後板３が連設され、該後板３の先端側把持部４の両側端には折線Ｌ６、Ｌ７を介して把持部支持片６および６´が連設されている。また前記後板支持片５および５´のそれぞれの上方端部には後板支持片突出部７および７´が延設され、前記把持部支持片６および６´のそれぞれ下方端部には把持部支持片突出部８および８´が延設されている。
【００１１】
前記把持板支持片６の側端辺には係止突起１０が設けられ、他方の把持部支持片６´の側端辺には係止切欠１１が設けられている。
【００１２】
前記側板２は、前記底板１の一辺の折線Ｌ１と鈍角をなす折線Ｌ４と、それぞれの先端をつないだ一部を外向き湾曲線とした稜線で形成される形状で、前記側板２´は底板１を中心として左右対称な形状である。尚、前記折線Ｌ１と折線Ｌ４が形成する角度は、組み立てにより底板１と、先端側を把持部４とする後板３が形成する角度であって、計量のための掬い取り操作には１２０度程度の鈍角とすることが望ましいが、これに限定されるものではない。
【００１３】
前記先端側を把持部４とする後板３は、前記底板１の一辺の折線Ｌ３を底辺として先細となる台形状に形成した。これは前記後板の先端側把持部４および把持部支持片６、６´で形成される把持部を手指で把持し易くするため先細形状としたものであるが、これに限定されるものではない。
【００１４】
本発明の紙製計量スプーンの組み立てにあたっては、底板１の対向する二辺の折線Ｌ１およびＬ２を用いて側板２および２´を立ち起こし、次に底板１の他の一辺である折線Ｌ３を用いて、先端側を把持部４とする後板３を立ち起こすとともに、後板３と把持部支持片６、６´の下方端部に延設された把持部支持片突出部８、８´とで形成される谷部を、側板２および２´の稜線に係合させつつ、後板支持片５および５´の上方端部に延設された後板支持片突出部７および７´で位置を固定する。
【００１５】
次に図３に示すごとく、後板支持片５、５´、把持部支持片６、６´をそれぞれ外折りして、前記後板３の先端側把持部４の背面に略三角柱あるいは略三角錐台状構造を形成するとともに、前記把持部支持片６´の側端辺に設けられた係止切欠１１に前記把持部支持片６の側端辺に設けた係止突起１０を係止固定して把持部分とし、本実施形態の組み立てを完了する。組み立て完了状態を前面から見た状態は図２に示す。
【００１６】
図４は本発明にかかる紙製計量スプーンの、第２の実施形態の展開平面図であって、第１の実施形態と同様に、矩形の底板１の対向する二辺には折線Ｌ１、Ｌ２を介してそれぞれ側板２および２´が連設され、該側板２および２´にはそれぞれ折線Ｌ４、Ｌ５を介して後板支持片５および５´が連設されている。前記底板１の他の一辺には折線Ｌ３を介して、先端側を把持部４とする後板３が連設され、該後板３の先端側把持部４の両側端には折線Ｌ６、Ｌ７を介して把持部支持片６および６´が連設されている。また前記後板支持片５および５´のそれぞれの上方端部には後板支持片突出部７および７´が延設され、前記把持部支持片６および６´のそれぞれ下方端部には把持部支持片突出部８および８´が延設されている。
【００１７】
第２の実施形態においては、前記後板３の先端側把持部４の上端近傍に該把持部４を横断して差込用溝２１を穿設するとともに、前記把持部支持片６の上端延長上には折線Ｌ２０を介して差込片２０を連設している。尚、前記折線Ｌ２０に平行な折線Ｌ２１は差し込み操作のための補助折線であり、省略する事もできる。また前記差込片２０は先端部を差し込み易さのために円弧状としているが、この形状に限定されるものではない。
【００１８】
前記側板２および２´の形状ならびに、先端側を把持部４とする後板３の形状に関しては、第１の実施形態と同様であるので、説明を省略する。尚、把持部４に穿設された前記差込用溝２１から後板３の下辺にわたって直行する二条の折線Ｌ２２およびＬ２３は、先端側を把持部４とする後板３の補強用折線で、前記先端側を把持部４とする後板３をやや膨らんだ面とすることにより、把持部分の折れ曲がりを軽減しようとするものであるが、この構造に限定されるものではない。
【００１９】
第２の実施形態の組み立てにあたっては、第１の実施形態と同様に、底板１の対向する二辺の折線Ｌ１およびＬ２を用いて側板２および２´を立ち起こし、次に底板１の他の一辺である折線Ｌ３を用いて、先端側を把持部４とする後板３を立ち起こすとともに、後板３と把持部支持片６、６´の下方端部に延設された把持部支持片突出部８、８´とで形成される谷部を、側板２および２´の上辺に係合させつつ、後板支持片５および５´の上方端部に延設された後板支持片突出部７および７´で位置を固定する。
【００２０】
次に図６に示すごとく、後板支持片５、５´、把持板支持片６、６´をそれぞれ外折りして、把持板４および後板３に重合させ、最も外側に重合させる把持板支持片６の上端に連設された差込片２０を、把持板４の上端近傍に穿設された差込用溝２１に差し込んで、図５に示すような組み立て完了状態となる。
【００２１】
【発明の効果】
以上のように本発明の紙製計量スプーンは、板紙等を打ち抜いて製作される平板なシート状で輸送および販売に供され、一般消費者の簡便な組み立て操作により組み立てることができるものである。
【００２２】
また計量部および把持部が所定の角度構成をもって、強固に組み立て固定されているので、従来技術の紙製スプーンに比べて、洗剤等製品の計量操作をスムーズに行うことができる。
【００２３】
さらに使用後は簡単な操作で平板な状態に戻すことができるため、廃棄物容積を縮減することができ、紙製品としての廃棄処理が容易となる効果を有する。
【図面の簡単な説明】
【図１】本発明に係る紙製計量スプーンの第１の実施形態を示す展開平面図。
【図２】同実施形態の組み立て完了状態を示す斜視図。
【図３】同実施形態の組み立て完了状態を底面から見た斜視図。
【図４】本発明に係る紙製計量スプーンの第２の実施形態を示す展開平面図。
【図５】第２の実施形態の組み立て完了状態を示す斜視図。
【図６】第２の実施形態の組み立て完了状態を底面から見た斜視図。
【符号の説明】
１　　　　　　　　　　　　　底板
２、２´　　　　　　　　　　側板
３　　　　　　　　　　　　　後板
４　　　　　　　　　　　　　把持部
５、５´　　　　　　　　　　後板支持片
６、６´　　　　　　　　　　把持部支持片
７、７´　　　　　　　　　　後板支持片突出部
８、８´　　　　　　　　　　把持部支持片突出部
１０　　　　　　　　　　　　係止突起
１１　　　　　　　　　　　　係止切欠
２０　　　　　　　　　　　　差込片
２１　　　　　　　　　　　　差込用溝
【図１】
2004077152.tif 000003
【図２】
2004077152.tif 000004
【図３】
2004077152.tif 000005
【図４】
2004077152.tif 000006
【図５】
2004077152.tif 000007
【図６】
2004077152.tif 000008